【事件の表示】
　特許第３１４７１０３号「透過型スクリーン、レンチキュラーシート及びそれを用いた背面投写型画像ディスプレイ装置、並びにシート状部材の製造方法」の請求項１ないし８に係る特許に対する特許異議の申立てについて、次のとおり決定する。
【結　論】
　訂正を認める。
　特許第３１４７１０３号の請求項１、２、４ないし８に係る特許を取り消す。
　同請求項３に係る特許を維持する。
【理　由】
１．手続の経緯
　特許第３１４７１０３号の発明についての出願は、平成２年４月９日に出願した特願平２−９２２３４号（優先権主張平成１年４月２６日、特願平１−１０４４３５号）の一部を平成１０年１０月２６日に新たな特許出願としたものであって、平成１３年１月１２日にその発明についての特許権の設定登録がなされ、その後、株式会社ディスクより特許異議の申立てがなされ、取消しの理由が通知され、その指定期間内である平成１４年２月１２日に訂正請求がなされたものである。
　
２．訂正の適否についての判断
（１）訂正の内容
　イ．訂正事項ａ
　特許請求の範囲の請求項１の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　ロ．訂正事項ｂ
　特許請求の範囲の請求項３の記載について、「・・異なる屈折率を有する光拡散材が・・」とあるのを、「・・異なる屈折率を有し、かつ互いに屈折率が異なる２種類の光拡散材が・・」と訂正する。
　ハ．訂正事項ｃ
　特許請求の範囲の請求項４の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　ニ．訂正事項ｄ
　特許請求の範囲の請求項６の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　ホ．訂正事項ｅ
　段落【０００５】の記載について、「ほば」とあるのを、「ほぼ」と訂正する。
　へ．訂正事項ｆ
　段落【００１１】の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　ト．訂正事項ｇ
　段落【００１３】の記載について、「・・異なる屈折率を有する光拡散材が・・」とあるのを、「・・異なる屈折率を有し、かつ互いに屈折率が異なる２種類の光拡散材が・・」と訂正する。
　チ．訂正事項ｈ
　段落【００１９】の記載について、「斜視図てあり」とあるのを、「斜視図であり」と訂正する。
　リ．訂正事項ｉ
　段落【００３３】の記載について、「ほば」とあるのを、「ほぼ」と訂正する。
　
（２）訂正の目的の適否、新規事項の有無及び拡張・変更の存否
　上記訂正事項ａ〜ｄは、特許請求の範囲の減縮を目的としたものであり、また、上記訂正事項ｆ、ｇは上記訂正事項ａ〜ｄと整合を図るものであるから、明りょうでない記載の釈明を目的としたものであり、上記訂正事項ｅ、ｈ、ｉは誤記の訂正を目的としたものである。そして、上記訂正事項ａ〜ｉは、新規事項の追加に該当せず、また、実質的に特許請求の範囲を拡張又は変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立ての概要
　異議申立人株式会社ディスクは、本件の請求項１〜８に係る発明は、本件特許出願前公知の甲第１号証〜甲第８号証の発明から当業者が容易に発明できたものであり、特許法第２９条第２項の規定により特許を受けることができない。したがって、上記発明にかかる本件特許は、特許法第１１３条第１項第２号の規定により取り消されるべきものであると主張している。
　
４．本件発明
　上記２．で示したように上記訂正が認められるから、本件の請求項１〜８に係る発明（以下、それぞれ、本件発明１〜８という）は、上記訂正請求に係る訂正明細書の特許請求の範囲の請求項１〜８に記載された事項により特定されるとおりのものである。
　
５．引用刊行物に記載された事項
（１）当審が通知した取消理由で引用した刊行物１（実開昭６４−２２３９号（実願昭６２−９６０３２号）のマイクロフィルム：甲第１号証）には、次の事項が記載されている。
・「（１）少なくとも入射面側にレンチキュラーレンズが形成され、観察側には入射側レンチキュラーレンズに対応する光の集光部と非集光部を形成した透過型スクリーンであって、前記非集光部のすくなくとも一部には外光吸収層が形成され、かつ集光部及び非集光部全面に艶消塗装が施されていることを特徴とする透過型スクリーン。」（実用新案登録請求の範囲）
・「本考案はプロジェクションＴＶに用いられる透過型スクリーン、又は明室で用いられるディスプレイ用の透過型スクリーンに関する。」（明細書第１頁１５〜１７行）
・「［実施例］　以下、本考案の透過型スクリーンについて、具体的な実施例に基づき、詳細に説明する。第１図は本考案の透過型スクリーンの第１実施例を示す断面図である。同図において、Ｘは入射側、Ｙは観察側、１０はスクリーンの材料である透明な基体、１は入射側に形成されたレンチキュラーレンズ、２は観察側に形成されたレンチキュラーレンズである。観察面側のレンチキュラーレンズ２はレンチキュラーレンズ１に対応する集光部３に形成されている。またレンチキュラーレンズ２の非集光部４には、光吸収層形成のための台形状の突条５（以下、台形突条と称す）を備えると共に、この台形突条５の表面に外光吸収層６が形成されている。また、観察側（Ｙ）のスクリーン全面、すなわち、集光部３及び非集光部４に本考案の特徴である艶消塗装７が形成されている。」（明細書第５頁第１７行〜第６頁第１４行）
・「.また、外光吸収層６は第１図のように観察側に出た形状となっているので、外光吸収層６を塗装後、保護層を設けても、外光吸収層６の一部が剥離したりする問題点が生じることが多かったが、・・艶消塗装７に使用する艶消剤としては　ＳｉＯ２、Ａｌ２Ｏ３，ＣａＣＯ３，Ａｌ（ＯＨ）３，ＢａＳＯ４，ＴｉＯ２　等の無機系及び有機系顔料又は無機有機の組合せ等でもよい。また、バインダーはアクリル系樹脂、ビニル系樹脂、セルロース系樹脂、ポリウレタン系樹脂、エポキシ系樹脂等で一つ又は複数種で使用する。塗布方法は、後述する本考案の実施例の構成に応じて、スクリーン印刷、スプレー塗布、フローコーティング、ロールコーティング、オフセット等が使用できる。また、艶消塗装７の表面強度が不足する傾向がある場合にはＵＶ塗料の利用も可能である。」（明細書第７頁第１９行〜第８頁第１８行）
・図面（第１〜７図）からは、レンチキュラーレンズ１は複数配列され、集光部３はレンチキュラーレンズ１に対応して、また、非集光部４はレンチキュラーレンズ１間の境界に対応して、交互に配列された構成を読み取ることができる。
・第１図からは、非集光部４の突条５の上に外光吸収層６が設けられ、さらに、該非集光部４上の外光吸収層６及び集光部３の上に、艶消塗装７が設けられた構成、また、集光部３に観察側に凸のレンチキュラーレンズ２が形成された構成を読み取ることができる。
　
（２）当審が通知した取消理由で引用した刊行物２（特開昭５８−５９４３６号公報：甲第２号証）には、次の事項が記載されている。
・「第１図にリヤプロジェクションＴＶの光学系の基本構成を示す。同図で、１ａ，１ｂ，１ｃはＣＲＴ、２ａ，２ｂ，２ｃは投写用レンズである。また、３はスクリーンであり、アクリル材で構成される。第２図は、従来技術におけるスクリーン３の水平断面構造を示す。４はフレネル面であり、その作用はレンズ２ａ〜２ｃからスクリーン３の周辺へ発散する入力光を平行な出力光に屈折収束することにある。５はレンチキュラー面で、レンチキュラーレンズ７ａから出ていく光をミクロに約±４５°の方向へと発散させ、斜め方向から画面を観視しても、正常な画像がスクリーン上に映出されて見えるようにするためのものである。６はレンチキュラーレンズ７ａの出力面に、レンチキュラー面５の凹部と対向して形成されている黒色細条面であって、外光照明等に対するスクリーン面の反射率を下げて、コントラストの向上を図るためのものである。」（公報第１頁右下欄第１〜１８行）
・第２図からは、フレネル面を出射した光が、レンチキュラー面に入射する構成を読み取ることができる。また、上記「第２図は、従来技術におけるスクリーン３の水平断面構造を示す。」という記載と合わせれば、レンチキュラーレンズ、黒色細条面が、画面垂直方向に延びて形成され、画面水平方向に配列されている構成を読み取ることができる。
　
（３）当審が通知した取消理由で引用した刊行物３（特開昭５９−６９７４８号公報：甲第３号証）には、次の事項が記載されている。
・「本発明は画面の輝度のむらがない改良された透過型投影スクリーンに関する。特に本発明はカラーテレビジョンの投影用に適した色調不良の少ない透過型投影スクリーンに関する。観察側とは反対の側から投影し拡大する透過型投影スクリーンとしては投影光の利用効率が高く、かつ、明室内で使用したときに画像のコントラストの低下が少ないものが望ましい。このような条件を満足するものとしては例えば第１図に示すようにサーキユラーフレネルレンズシート１とレンチキユラーレンズシート２とをレンチキユラーレンズシート２のレンズ面がサーキユラーフレネルレンズシート１側を向くようにして組み合わせ、プロジェクターＰから発した投影光をまずサーキユラーフレネルレンズ１により集光させ、次いでレンチキユラーレンズ２を用いて水平方向に適宜な角度αをもつて拡散させると共に、レンチキユラーレンズ２の出射側に、レンチキユラーレンズの非集光部に相当する箇所に、光吸収層３を設け、観察者側から来る外光の反射を極力減らして画像のコントラストを向上させたものが知られている。」（公報第１頁右下欄第５行〜第２頁左上欄第５行）
・第１図からは、サーキユラーフレネルレンズシートを透過した光が、レンチキユラーレンズシートのレンズ面に入射する構成を読み取ることができる。また、上記「水平方向に適宜な角度αをもつて拡散させる」という記載と合わせれば、レンチキュラーレンズ、光吸収層が、画面垂直方向に延びて形成され、画面水平方向に配列されている構成を読み取ることができる。
　
（４）当審が通知した取消理由で引用した刊行物４（特開昭５６−２５７１９号公報：甲第４号証）には、次の事項が記載されている。
・「後方から投影した映像等を明視するいわゆるリヤープロジエクシヨンスクリーンは、従来からマイクロフイルム用のリーダーやリーダープリンター等におけるスクリーンあるいはカメラのピントグラス等に用いられている。これらのスクリーンは、酸化チタンや酸化ケイ素等の光拡散剤及び着色剤を適宜バインダーに混入し、この液状物をメタクリル樹脂板等の透光性樹脂板に塗布し、乾燥、固化し片面に光拡散層を形成して製造するのが一般的であった。」（公報第１頁右下欄第１０〜１９行）
・「このようにして得られたスクリーンは第４図に示す通りでシートの形成と同時的に拡散層と凹凸面の形成とがなされる。なおこれら凹凸面の具体例としてはマット面，レンチキユラー面，フレネルレンズ面，その他のレンズ群などが挙げられる。またこのような凹凸面はスクリーンの両面に設けるようにしてもよい。」（公報第２頁右下欄第６〜１２行）
・「また、透光拡散性フイルムの製造に用いられる光拡散剤としては、上記のフイルムおよび透光性樹脂との屈折率と異なる（一般には大きい）屈折率を有するものであればどのようなものでもよいが、特に酸化ケイ素，各種ケイ酸塩（例えばケイ酸カルシウム），酸化チタン，酸化マグネシウム，タルク，ブロマイトまたはこれらの中少なくとも二種以上からなる混合物が挙げられる。」（公報第３頁左下欄第３〜１１行）
　
（５）当審が通知した取消理由で引用した刊行物５（特開昭５８−７２９３５号公報：甲第５号証）には、次の事項が記載されている。
・「本発明は透過形ビデオ・プロジエクタ・システム等に用いられる透過形スクリーンに関し、特に、光透過率を損うことなく投写される画像のコントラストを良好にすることができる、改良された光拡散部を有した透過形スクリーンを提供せんとするものである。」（公報第１頁左下欄第９〜１４行）
・「第３図に示されるものもフレネルレンズ板６とレンチキユラー板７とから構成されているが、第２図に示されるものと異なり、フレネルレンズ板６の背面にレンチキユラー板７のレンチキユラー面が対向するように配されている。投写光はフレネルレンズ板６側から入射せしめられてフレネルレンズ板６を通過し、レンチキユラー板７にそのレンチキユラー面から入つてその背面から発散する。この場合にも、レンチキユラー板７のレンチキユラー面に複数配列された縦方向に延びるカマボコ状レンズ８により横方向に９０度程度の透過光発散角が得られるようにされており、また、レンチキユラー板７が光拡散剤を混入した光透過性物質で形成されるか、もしくは、レンチキユラー板７の背面側に光拡散剤を含有した層が形成されて、縦方向に２０度程度の透過光発散角が得られるようにされている。しかしながら、従来にあっては、斯かる透過形スクリーンに於ける縦方向の所定の透過光発散角を得るための光拡散剤として、酸化けい素（ＳｉＯ２）、酸化アルミニウム（Ａｌ２Ｏ３）、酸化チタン（ＴｉＯ２）、酸化亜鉛（ＺｎＯ）、硫酸バリウム（ＢａＳＯ４）、炭酸カルシウム（ＣａＣＯ３）、有機系拡散剤等々のうちの１種あるいは２種以上の混合物が用いられており、これら光拡散剤はいずれもボデイカラーが白色であるため、これら光拡散剤を用いた従来の透過形スクリーンは、ある程度以上の外光のもとでは外光が光拡散剤により反射されて充分なコントラスト性能が得られないという欠点があった。」（公報第２頁右上欄第５行〜同左下欄第１３行）
・「レンチキユラー板に関連して形成される光拡散部が、選択された分光透過特性を有した特殊なガラスビーズを光拡散材として用いて形成されていることである。」（公報第２頁右下欄第１０〜１３行）
・「この光拡散材９として、・・斯かるＮｄ２Ｏ３を含有したガラスビーズは第５図に於ける実線ａで示される如くの分光透過特性を有しており、約５１０〜５３０ｎｍ及び約５７０〜５９０ｎｍの波長帯の光に対して急激に低下した分光透過率を示す。即ち、約５１０〜５３０ｎｍ及び約５７０〜５９０ｎｍの波長帯に光を吸収する光吸収波長帯がある特性を有しているのである。」（公報第３頁左上欄第５〜２０行）
　
（６）当審が通知した取消理由で引用した刊行物６（特開昭５８−３７６３０号公報：甲第６号証）には、次の事項が記載されている。
・「本発明は透過型スクリーン、特に光遮蔽部（以下しばしばシヤドウマスクと言う）を有する透過型スクリーン及びその製造法に関する。」（公報第１頁右下欄第７〜９行）
・「以上のような方法により得られた、片面にレンチキユラーレンズの形状、他方の面にサーキユラーフレネルレンズの形状及びサーキユラーフレネルレンズ面より突出せる突出部を有する基板の前記突出部に光遮蔽部を設けるには例えば、公知の印刷法若しくは塗装法によつて行なうことができ、適宜なベヒクルに顔料若しくは染料の着色剤、艶消剤、・・を混合してなる、インキ若しくは塗料を用い、オフセット印刷法、・・の方法により突出部の頂部を印刷若しくは塗布する方法によつて行なうことができる。」（公報第３頁右上欄第１４行〜同左下欄第１０行）
・「又、印刷に用いるインキは通常のタイプの他アクリレート系の紫外線硬化型インキでもよい。」（公報第３頁右下欄第１５〜１７行）
　
（７）当審が通知した取消理由で引用した刊行物７（特開昭５１−５４１号公報：甲第７号証）には、次の事項が記載されている。
・「被加工物の表面、または紫外線透過性材料よりなる円筒形ロールの表面に、紫外線硬化性の皮膜形成組成物を塗布し予備紫外線照射により塗膜の硬化を開始せしめた後、被加工物表面と該円筒形ロール表面の間に塗膜を圧着し、円筒形ロール内部より紫外線を照射して塗膜を硬化した後被加工皮膜面をロール表面より剥離する表面加工方法。」（特許請求の範囲）
・「本発明は紙、プラスチックス、金属または木材等のフィルム状または板状の被加工物の表面に皮膜を施してその表面をつや出し、つや消し、または凹凸模様付けをする表面加工方法に関するものである。」（公報第１頁左下欄第１２〜１５行）
・「第２図は紫外線透過性材料よりなる円筒形ロール１の表面に、塗布装置７により、紫外線硬化性の皮膜形成組成物４を塗布し、予備硬化用紫外線ランプ５により塗膜の硬化を開始せしめた後、被加工物３と圧着すると同時に紫外線ランプ２により塗膜を硬化し、次いで被加工物皮膜表面をロール表面より剥離するものである。」（公報第２頁左下欄第１４〜１９行）
　
（８）当審が通知した取消理由で引用した刊行物８（特開昭５１−５４２号公報：甲第８号証）には、次の事項が記載されている。
・「紫外線透過性材料よりなるベルトまたは円筒形ロール表面に、紫外線硬化性の皮膜形式組成物を塗布し、被加工物表面と圧着すると同時に該ベルト裏面または円筒形ロール内部より紫外線を照射して塗膜を硬化した後被加工物の皮膜表面を該ベルトまたはロール表面より剥離することを特徴とする液の浸透し易い表面を加工する方法。」（特許請求の範囲）
・「本発明は紙、木材または多孔性プラスチック材料のフィルム状または板状のもので、液状皮膜形成組成物が浸透し易く液が不要に内部に浸入するため、液の直接塗布による加工が困難な被加工物の表面に皮膜を形成し加工する方法である。」（公報第１頁左下欄１２〜１５行）
・「本発明に用いる紫外線硬化性の皮膜形成組成物は通常の紫外線硬化性樹脂組成物であり」（公報第２頁左上欄第７、８行）
・「皮膜硬化のための照射は塗膜が被加工物表面とベルトまたはロール表面との間に圧着密閉された状態で行なわれるので硬化は速やかに進行するが、圧着される前の塗膜に予備照射を行なつて硬化を開始せしめることも塗膜の粘度を高め被加工物への不要の浸入をなくし、また加工速度を上げるのに効果がある。また圧着後さらにロール表面との密着状態を続けて紫外線を照射して硬化を完成させることもできる。」（公報第２頁左下欄第７〜１３行）
・「第３図は第１図の装置に、皮膜形成組成物６を塗布後紫外線光源９により塗膜を照射して硬化を開始せしめる装置を加えたものであり、液の浸透が特に早い被加工物に適し、第４図は第２図の装置に第３図と同様な目的で予備照射用紫外線光源９または９’を加えたもので液の浸透の特に早い場合または加工速度を上げるのに適するものである。」（公報第２頁右下欄第６〜１１行）
　
６．対比・判断
（１）本件発明１について
　刊行物１には、
「入射側に複数のレンチキュラーレンズが形成された透過型スクリーンにおいて、前記透過型スクリーンの観察側は、前記レンチキュラーレンズに対応して配列された集光部と、前記レンチキュラーレンズ間の境界に対応した非集光部とが交互に配列され、前記透過型スクリーンの観察側に形成された集光部と非集光部上に、２種類の顔料を含有するバインダーにより構成された艶消塗装が形成され、該艶消塗装と前記非集光部との間に外光吸収層を設けたことを特徴とする透過型スクリーン。」（以下、引用発明１という）
が記載されていると認められる。
　ここで、引用発明１の、「入射側」、「観察側」、「集光部」、「非集光部」、「顔料」、「艶消塗装」、「外光吸収層」、「透過型スクリーン」は、それぞれ、本件発明１の「光入射面」、「光出射面」、「光透過部」、「光不透過部」、「粒子状の光拡散材」、「光拡散層」、「光吸収層」、「レンチキュラーシート」／「透過型スクリーン」に相当するから、本件発明１と引用発明１は、
「光入射面に、複数のレンチキュラーレンズが配列されたレンチキュラーシートを有する透過型スクリーンにおいて、前記透過型スクリーンの光出射面は、前記レンチキュラーレンズに対応して形成された光透過部と、前記レンチキュラーレンズ間の境界に対応する光不透過部とが交互に配列され、前記レンチキュラーシートの光出射面に配列された光透過部と光不透過部上に、２種類の粒子状の光拡散材が積層され、該光拡散層と前記光透過部との間に光吸収層を設けたことを特徴とする透過型スクリーン。」
で一致し、
（イ）本件発明１では、一方の面にフレネルレンズが形成されたフレネルシートと、該フレネルシートを透過した光が入射される光入射面に、複数のレンチキュラーレンズが配列されたレンチキュラーシートとを有する透過型スクリーンであるのに対して、引用発明１では、本件発明１の「レンチキュラーシート」に相当する構成のみからなる透過型スクリーンである点
（ロ）本件発明１では、レンチキュラーレンズ、光透過部、光不透過部が、画面垂直方向に延び、画面水平方向に配列されているのに対して、引用発明１では、レンチキュラーレンズ、集光部、非集光部が、どの方向に延び、どの方向に配列されているかが明かでない点
（ハ）本件発明１では、互いに屈折率が異なる２種類の粒子状の光拡散材であるのに対して、引用発明１では、２種類の顔料の屈折率についての記載はない点
（ニ）本件発明１では、光拡散層のバインダーもしくは光拡散材を着色したのに対して、引用発明１では、そのような構成はない点
で相違する。
・相違点（イ）について
　透過型スクリーンとして、一方の面にフレネルレンズが形成されたフレネルシートと、該フレネルシートを透過した光が入射される光入射面に、複数のレンチキュラーレンズが配列されたレンチキュラーシートとを有する構成は、刊行物３、４により公知であるから、引用発明１において、本件発明１の「レンチキュラーシート」に相当する構成のみからなる構成に代えて、一方の面にフレネルレンズが形成されたフレネルシートと、該フレネルシートを透過した光が入射される光入射面に、複数のレンチキュラーレンズが配列されたレンチキュラーシートとを有する構成とすることは、当業者が容易に想到し得ることである。
・相違点（ロ）について
　レンチキュラーレンズ、光透過部、光不透過部が、画面垂直方向に延び、画面水平方向に配列された構成は、刊行物２、３により公知であるから、引用発明１において、レンチキュラーレンズ、集光部、非集光部を、画面垂直方向に延び、画面水平方向に配列するよう構成することは、当業者が容易に想到し得ることである。
・相違点（ハ）について
　引用発明１では、２種類の顔料（「無機有機の組合せ」）を使用する構成である。このほか、透過型スクリーンの光拡散材として、２種類の粒子が使用される構成は、刊行物４、５に示されるように周知である。そして、一般的に、異なる種類の粒子は、互いに屈折率が異なるものであり、刊行物４、５で、具体的に挙げられている、酸化ケイ素、ケイ酸カルシウム、酸化チタン、酸化マグネシウム、酸化アルミニウム、炭酸カルシウム等は、互いに屈折率が異なるものである。すると、互いに屈折率の異なる２種類の粒子状の光拡散材を使用することは、刊行物４、５に示されるように周知であるから、引用発明１においても、２種類の顔料を使用するとき、互いに屈折率の異なるものとすることは、当業者が容易になし得ることである。
・相違点（ニ）について
　光拡散層のバインダーを着色することは、刊行物４により公知であり、また、光拡散材を着色することは、刊行物５により公知であるから、引用発明１の、バインダーもしくは顔料を着色することは、当業者が容易に想到し得たことである。
　したがって、本件発明１は、刊行物１〜５に記載された発明に基づいて当業者が容易に発明できたものである。
　
（２）本件発明２について
　刊行物１には、引用発明１の構成において、さらに、非集光部は、観察側に突出した突条を有し、該突条と艶消塗装との間に、外光吸収層が設けられた構成が記載されていると認められ、この「突条」は、本件発明２の「凸部」に相当するものである。
　したがって、本件発明２は、本件発明１と同様に、刊行物１〜５に記載された発明に基づいて当業者が容易に発明できたものである。
　
（３）本件発明３について
　刊行物１の、透過型スクリーンは、背面投写型画像ディスプレイ装置に使用されること、また、透過型スクリーンはシート状部材であることは明かであり、また、艶消塗装７に、ＵＶ塗料を使用するということは、艶消塗装７が紫外線硬化樹脂よりなるバインダーに顔料を含有させたものであり、艶消塗装７を形成する際に、ＵＶ塗料からなる艶消塗装７を塗布し、紫外線照射により硬化させることは、自明のことと認められるから、刊行物１には、
「背面投写型画像ディスプレイ装置の透過型スクリーンに用いられ、その入射側にレンチキュラーレンズが配列され、観察側に前記レンチキュラーレンズ間の境界に対応した非集光部を有するシート状部材の製造方法であって、前記観察側に外光吸収層を塗装し、その後、紫外線硬化樹脂よりなるバインダーに２種類の顔料を含有させた艶消塗装を、前記非集光部を含む観察側のスクリーン全面に塗布し、紫外線照射により硬化させる工程を含むことを特徴とするシート状部材の製造方法。」（以下、引用発明２という）
が記載されていると認められる。
　引用発明２の、「入射側」、「観察側」、「非集光部」、「外光吸収層」、「バインダー」、「顔料」、「艶消塗装」、「前記非集光部を含む観察側のスクリーン全面」は、それぞれ、本件発明１の「入射面」、「出射面」、「光不透過部」、「光吸収層」、「透明バインダー」、「光拡散材」、「光拡散層」、「前記光吸収層を含む前記出射面の全面」に相当する。
　また、引用発明２の「レンチキュラーレンズが配列され」た構成、「観察側に前記レンチキュラーレンズ間の境界に対応した非集光部を有する」構成は、それぞれ、本件発明３の「レンチキュラーレンズの列の形状をなし」た構成、「出射面に前記レンチキュラーレンズの結像作用によって発生する光不透過部を有」する構成に相当するから、本件発明３と引用発明２は、
「背面投写型画像ディスプレイ装置の透過型スクリーンに用いられ、その入射面がレンチキュラーレンズの列の形状をなし、出射面に前記レンチキュラーレンズの結像作用によって発生する光不透過部を有してなるシート状部材の製造方法であって、紫外線硬化樹脂よりなる透明バインダー中に２種類の光拡散材を分散されて構成された光拡散層を、前記光吸収層を含む前記出射面の全面に塗布し、紫外線照射により前記光拡散層を硬化させる工程を含むことを特徴とするシート状部材の製造方法。」
で一致し、
（ハ）本件発明３では、互いに屈折率が異なる２種類の粒子状の光拡散材であるのに対して、引用発明２では、２種類の顔料の屈折率についての記載はない点
（ホ）本件発明３では、透明バインダーの屈折率とは異なる屈折率を有する光拡散材であるのに対して、引用発明２では、バインダーと顔料の屈折率についての記載はない点
（ヘ）本件発明３では、光出射面の光不透過部に紫外線硬化樹脂よりなる光吸収層を塗布した後、第一の紫外線照射により該光吸収層を半硬化させ、その後、第二の紫外線照射により前記光拡散層及び前記光吸収層を同時に硬化させる構成であるのに対して、引用発明２では、観察側に外光吸収層を塗装し、その後、紫外線硬化樹脂よりなるバインダーに２種類の顔料を含有させた艶消塗装を、前記非集光部を含む観察側のスクリーン全面に塗布し、紫外線照射により硬化させる構成である点
で相違する。
・相違点（ハ）については、上記６（１）で相違点（ハ）について述べたとおりである。
・相違点（ホ）について
　透過型スクリーンにおける、光拡散層において、バインダーと光拡散剤の屈折率を異なったものとすることは、刊行物４により公知であるから、引用発明２において、バインダーと顔料の屈折率を異なるものとすることは、当業者が容易になし得たことである。
・相違点（ヘ）について
　透過型スクリーンの光遮蔽部を、紫外線硬化樹脂をバインダーとして、紫外線照射により硬化させて形成することは、刊行物６により公知であるから、引用発明２において、外光吸収層を紫外線硬化樹脂をバインダーとして、紫外線照射により硬化させて形成することは、当業者が容易に想到し得たことである。
　しかし、外光吸収層、艶消塗装をともに、紫外線硬化樹脂をバインダーとしたものとし、これら二層を積層する際に、これら二層を紫外線照射により硬化する方法として、どのような方法を採用するかは、刊行物１〜６には示されていない。
　ここで、異議申立人は、刊行物７、８に、紫外線硬化樹脂よりなる塗膜を一旦第一の紫外線照射により半硬化させ、次いで、第二の紫外線照射により硬化を完成させることが記載されているから、上記本件発明３の、光出射面の光不透過部に紫外線硬化樹脂よりなる光吸収層を塗布した後、第一の紫外線照射により該光吸収層を半硬化させ、その後、第二の紫外線照射により前記光拡散層及び前記光吸収層を同時に硬化させる構成は、当業者が容易に相当し得たものとである旨主張する。しかし、刊行物７、８には、紫外線硬化樹脂よりなる塗膜を、一層形成するときの製造方法であって、引用発明２では、二層を形成するのであるから、刊行物７、８に記載された構成を、単純に、引用発明２に適用すると、まず、外光吸収層を塗布し、第一の照射、第二の照射の２回の紫外線照射により、外光吸収層を完全に硬化させ、次に、艶消塗装を塗布し、第一の照射、第二の照射の２回の紫外線照射により、艶消塗装を完全に硬化させる構成を想到し得るということはできるが、本件発明３のように、一層目を第一の紫外線硬化により半硬化させ、その上に、二層目を塗布し、第二の紫外線硬化により、二層を同時に硬化させるという構成を容易に想到し得るということはできない。
　そして、本件発明３の該構成により、簡便かつ経済的に透過型スクリーンが得られるという効果を奏し得るものである。
　してみると、本件発明３の、光出射面の光不透過部に紫外線硬化樹脂よりなる光吸収層を塗布した後、第一の紫外線照射により該光吸収層を半硬化させ、その後、第二の紫外線照射により前記光拡散層及び前記光吸収層を同時に硬化させる構成は、刊行物１〜８からは当業者といえども容易に想到し得るものということはできない。
　したがって、本件発明３は、相違点（ヘ）において、刊行物１〜８に記載された発明に基づいて当業者が容易に発明できたものとすることはできない。
　
（４）本件発明４について
　刊行物１には、引用発明１の透過型スクリーンをプロジェクションＴＶに用いること、つまり、引用発明１の透過型スクリーンを備えたプロジェクションＴＶ（以下、引用発明３という）が、記載されていると認められる。また、引用発明３の「プロジェクションＴＶ」は、本件発明４の「背面投写型画像ディスプレイ装置」に相当するから、本件発明４と引用発明３を対比すると、両者は、
「背面投写型画像ディスプレイ装置において、光入射面に、複数のレンチキュラーレンズが配列されたレンチキュラーシートを有する透過型スクリーンにおいて、前記透過型スクリーンの光出射面は、前記レンチキュラーレンズに対応して形成された光透過部と、前記レンチキュラーレンズ間の境界に対応する光不透過部とが交互配列され、前記レンチキュラーシートの光出射面に配列された光透過部と光不透過部上に、２種類の粒子状の光拡散材が積層され、該光拡散層と前記光透過部との間に光吸収層を設けたことを特徴とする背面投写型画像ディスプレイ装置。」
で一致し、
（イ）本件発明４では、一方の面にフレネルレンズが形成されたフレネルシートと、該フレネルシートを透過した光が入射される光入射面に、複数のレンチキュラーレンズが配列されたレンチキュラーシートとを有する透過型スクリーンであるのに対して、引用発明３では、本件発明４の「レンチキュラーシート」に相当する構成のみからなる透過型スクリーンである点
（ロ）本件発明４では、レンチキュラーレンズ、光透過部、光不透過部が、画面垂直方向に延び、画面水平方向に配列されているのに対して、引用発明３では、レンチキュラーレンズ、集光部、非集光部が、どの方向に延び、どの方向に配列されているかが明かでない点
（ハ）本件発明４では、互いに屈折率が異なる２種類の粒子状の光拡散材であるのに対して、引用発明３では、２種類の顔料の屈折率についての記載はない点
（ニ）本件発明４では、光拡散層のバインダーもしくは光拡散材を着色したのに対して、引用発明３では、そのような構成はない点
（ト）本件発明４では、背面投写型画像ディスプレイ装置が、映像光を出力する映像源と、該投写源から出力された映像光を拡大する投写レンズと、該投写レンズにより拡大された映像光が入射される透過型スクリーンを備えているのに対して、引用発明３では、プロジェクションＴＶが、透過型スクリーンを備えている点
で相違する。
・相違点（イ）〜（ニ）については、上記６（１）で相違点（イ）〜（ニ）について述べたとおりである。
・相違点（ト）について
　本件発明４では、背面投写型画像ディスプレイ装置の具体的な構成要素として、映像光を出力する映像源と、該投写源から出力された映像光を拡大する投写レンズ、該投写レンズにより拡大された映像光が入射される透過型スクリーンを規定した点で、引用発明３と相違するということができる。しかし、これら、映像光を出力する映像源と、該投写源から出力された映像光を拡大する投写レンズ、該投写レンズにより拡大された映像光が入射される透過型スクリーンは、刊行物２により公知であるから、引用発明３において、同様の構成要素を規定することは、当業者が容易になし得たことである。
　したがって、本件発明４は、刊行物１〜５に記載された発明に基づいて当業者が容易に発明できたものである。
　
（５）本件発明５について
　刊行物１には、引用発明３の構成において、さらに、非集光部は、観察側に突出した突条を有し、該突条と艶消塗装との間に、外光吸収層が設けられた構成が記載されていると認められ、この「突条」は、本件発明５の「凸部」に相当するものである。
　したがって、本件発明５は、本件発明４と同様に、刊行物１〜５に記載された発明に基づいて当業者が容易に発明できたものである。
　
（６）本件発明６について
　引用発明１の、「透過型スクリーン」は、レンチキュラーシートということができることは明かであるから、本件発明６と引用発明１は、
「光入射面に、複数のレンチキュラーレンズが配列され、光出射面に、前記レンチキュラーレンズに対応して形成された光透過部と、前記レンチキュラーレンズ間の境界に対応する光不透過部とが配列され、光出射面に配列された光透過部と光不透過部上に、２種類の粒子状の光拡散材が積層され、該光拡散層と前記光透過部との間に光吸収層を設けたレンチキュラーシート。」
で一致し、
（ロ）本件発明６では、レンチキュラーレンズ、光透過部、光不透過部が、画面垂直方向に延び、画面水平方向に配列されているのに対して、引用発明１では、レンチキュラーレンズ、集光部、非集光部が、どの方向に延び、どの方向に配列されているかが明かでない点
（ハ）本件発明６では、互いに屈折率が異なる２種類の粒子状の光拡散材であるのに対して、引用発明１では、２種類の顔料の屈折率についての記載はない点
（ニ）本件発明６では、光拡散層のバインダーもしくは光拡散材を着色したのに対して、引用発明１では、そのような構成はない点
で相違する。
　しかし、相違点（ロ）〜（ニ）については、上記６（１）で相違点（ロ）〜（ニ）について述べたとおりであるから、本件発明６は、刊行物１〜５に記載された発明に基づいて当業者が容易に発明できたものである。
　
（７）本件発明７について
　刊行物１には、引用発明１の構成において、さらに、非集光部は、観察側に突出した突条を有し、該突条と艶消塗装との間に、外光吸収層が設けられた構成が記載されていると認められ、この「突条」は、本件発明７の「凸部」に相当するものである。
　したがって、本件発明７は、本件発明６と同様に、刊行物１〜５に記載された発明に基づいて当業者が容易に発明できたものである。
　
（８）本件発明８について
　刊行物１には、引用発明１の構成において、さらに、透過型スクリーンの観察側の集光部に、観察側に凸のレンチキュラーレンズが形成された構成が記載されていると認められる。
　したがって、本件発明８は、本件発明１と同様に、刊行物１〜５に記載された発明に基づいて当業者が容易に発明できたものである。
　
７．むすび
　以上のとおりであるから、本件発明１、２、４〜８の特許は、特許法第２９条第２項の規定に違反してされたものであるから、同法第１１３条第２号に該当し、取り消されるべきものである。
　また、本件発明３の特許については、取消理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年２月２８日（２００２．２．２８）
【訂正の要旨】
訂正の要旨
　（１）訂正事項ａ
　特許請求の範囲の請求項１の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　（２）訂正事項ｂ
　特許請求の範囲の請求項３の記載について、「・・異なる屈折率を有する光拡散材が・・」とあるのを、「・・異なる屈折率を有し、かつ互いに屈折率が異なる２種類の光拡散材が・・」と訂正する。
　（３）訂正事項ｃ
　特許請求の範囲の請求項４の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　（４）訂正事項ｄ
　特許請求の範囲の請求項６の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　（５）訂正事項ｅ
　段落【０００５】の記載について、「ほば」とあるのを、「ほぼ」と訂正する。
　（６）訂正事項ｆ
　段落【００１１】の記載について、「・・光透過部と光不透過部上に、粒子状の光拡散材を・・」とあるのを、「・・光透過部と光不透過部上に、互いに屈折率が異なる２種類の粒子状の光拡散材を・・」と訂正する。
　（７）訂正事項ｇ
　段落【００１３】の記載について、「・・異なる屈折率を有する光拡散材が・・」とあるのを、「・・異なる屈折率を有し、かつ互いに屈折率が異なる２種類の光拡散材が・・」と訂正する。
　（８）訂正事項ｈ
　段落【００１９】の記載について、「斜視図てあり」とあるのを、「斜視図であり」と訂正する。
　（９）訂正事項ｉ
　段落【００３３】の記載について、「ほば」とあるのを、「ほぼ」と訂正する。
（５４）【発明の名称】
透過型スクリーン、レンチキュラーシート及びそれを用いた背面投写型画像ディスプレイ装置、並びにシート状部材の製造方法
（５７）【特許請求の範囲】
　【請求項１】
　一方の面にフレネルレンズが形成されたフレネルシートと、該フレネルシートを透過した光が入射される光入射面に、画面垂直方向に延びる複数のレンチキュラーレンズが画面水平方向に配列されたレンチキュラーシートとを有する透過型スクリーンにおいて、
　前記レンチキュラーシートの光出射面は、前記レンチキュラーレンズに対応して画面垂直方向に延びて形成された光透過部と、前記レンチキュラーレンズ間の境界に対応する光不透過部とが画面水平方向に交互に配列され、
　前記レンチキュラーシートの光出射面に配列された光透過部と光不透過部上に、
互いに屈折率が異なる２種類の
　かつ前記光拡散層のバインダーもしくは光拡散材を着色したことを特徴とする透過型スクリーン。
　【請求項２】
　前記光不透過部は、光出射方向に突出した凸部を有し、該凸部の先端部と前記光拡散層との間に前記光吸収層が設けられることを特徴とする請求項１に記載の透過型スクリーン。
　【請求項３】
　背面投写型画像ディスプレイ装置の透過型スクリーンに用いられ、その入射面がレンチキュラーレンズの列の形状をなし、出射面に前記レンチキュラーレンズの結像作用によって発生する光不透過部を有してなるシート状部材の製造方法であって、
　前記出射面の光不透過部に紫外線硬化樹脂よりなる光吸収層を塗布した後、第一の紫外線照射により該光吸収層を半硬化させ、その後、紫外線硬化樹脂よりなる透明バインダー中に該透明バインダーの屈折率とは異なる屈折率を有
し、かつ互いに屈折率が異なる２種類の
　【請求項４】
　映像光を出力する映像源と、該投写源から出力された映像光を拡大する投写レンズと、該投写レンズにより拡大された映像光が入射される透過型スクリーンを備えた背面投写型画像ディスプレイ装置において、
　前記透過型スクリーンは、一方の面にフレネルレンズが形成されたフレネルシートと、該フレネルシートを透過した光が入射される光入射面に、画面垂直方向に延びる複数のレンチキュラーレンズが画面水平方向に配列されたレンチキュラーシートとを有し、
　前記レンチキュラーシートの光出射面は、前記レンチキュラーレンズに対応して画面垂直方向に延びて形成された光透過部と、前記レンチキュラーレンズ間の境界に対応する光不透過部とが画面水平方向に交互に配列され、
　前記レンチキュラーシートの光出射面に配列された光透過部と光不透過部上に、
互いに屈折率が異なる２種類の
　かつ前記光拡散層のバインダーもしくは光拡散層を着色したことを特徴とする背面投写型画像ディスプレイ装置。
　【請求項５】
　前記光不透過部は、光出射方向に突出した凸部を有し、該凸部の先端部と前記光拡散層との間に前記光吸収層が設けられることを特徴とする請求項４に記載の背面投写型画像ディスプレイ装置。
　【請求項６】
　光入射面に画面垂直方向に延びる複数のレンチキュラーレンズが配列され、光出射面に、前記レンチキュラーレンズに対応して画面垂直方向に延びて形成された光透過部と、前記レンチキュラーレンズ間の境界に対応する光不透過部とが画面水平方向に交互に配列され、
　前記レンチキュラーシートの光出射面に配列された光透過部と光不透過部上に、
互いに屈折率が異なる２種類の
　【請求項７】
　前記光不透過部は、光出射方向に突出した凸部を有し、該凸部の先端部と前記光拡散層との間に前記光吸収層が設けられることを特徴とする請求項６に記載のレンチキュラーシート。
　【請求項８】
　前記レンチキュラーシートの光出射面の光透過部に、画面垂直方向に延びる光出射側に凸のレンチキュラーレンズを形成したことを特徴とする請求項１に記載の透過型スクリーン。
【発明の詳細な説明】
　【０００１】
　【発明の属する技術分野】
　本発明は、映像源（例えばブラウン管）から映像を、投写レンズにより拡大して表示するための投写型画像ディスプレイ装置、及びそれに用いられる透過型スクリーン、レンチキュラーシートに関する。
　【０００２】
　【従来の技術】
　投写型ブラウン管などの小型映像源に表示された映像を投写レンズにより拡大し、透過型スクリーンに投写する背面投写型テレビジョンは、近年、画質の向上が著しく、大画面による迫力ある臨場感を楽しむことができるため、家庭用，業務用に普及が進んでいる。
　【０００３】
　背面投写型テレビジョンにおいて、投写型ブラウン管を映像源として用いる場合、スクリーン上の画面の輝度を十分に明るくするため、従来から赤，緑，青の３原色についてそれぞれブラウン管と投写レンズを組み合わせ、スクリーン上で３原色の画像を合成する構成とすることが一般に行われている。このとき、観視者の位置や見る角度の違いによる赤，緑，青の３原色の色バランスの違いをなるべく抑えるため、例えば特開昭５８−１９２０２２号公報に記載のように、フレネルレンズからなる第一のシート状部材と、入射面及び出射面がレンチキュラーレンズ列からなり、内部に光を散乱する微粒子が分散されてなる第二のシート状部材とを組み合わせて、透過型スクリーンを構成することが一般に行われている。
　【０００４】
　【発明が解決しようとする課題】
　図６は、上記従来技術に係る透過型スクリーンの要部を示す斜視図であり、１は透過型スクリーン、２は第一のシート状部材、３は第二のシート状部材、２Ｂ，３Ｂはそれぞれ第一のシート状部材２、第二のシート状部材３の基材である。２１はシート状部材２の入射面となる平面である。２２は第一のシート状部材２の出射面であり、フレネルレンズになっている。また、３１は、第二のシート状部材３の入射面であり、垂直方向を長手方向とするレンチキュラーレンズを水平方向に並べた形状となっている。３２は第二のシート状部材３の出射面であり、入射面３１のレンチキュラーレンズにほぼ相対して、同様のレンチキュラーレンズ部が配列されるとともに、レンチキュラーレンズ部間の境界部の光不透過部３Ｎは、後述の光吸収層を設けるため、平面状になっている。６は光吸収層であり、前記の光不透過部３Ｎ上に積層されている。また、第二のシート状部材３の基材３Ｂ中には光を散乱させる光拡散材の微粒子が分散された構成となっている。
　【０００５】
　上記の従来の透過型スクリーンにおいては、投写型ブラウン管の表示画像全体から出射した光束は、投写レンズを介して、広がりながらスクリーン入射面全体に入射する。このとき、第一のシート状部材２の出射面２２に形成されたフレネルレンズにより、上記の入射光束は、ほ
ぼ
　【０００６】
　図７は、上記において説明した従来技術に係る透過型スクリーン１における第二のシート状部材３の断面図であり、図７（ａ）は出射面３２に形成された一つのレンチキュラーレンズ部の中心における垂直断面図、図７（ｂ）は水平断面図である。
　【０００７】
　図７（ａ）及び図７（ｂ）において、第二のシート状部材３の基材３Ｂ内には、前記のように、光拡散材の微粒子が分散されており、これにより、入射光線１４は入射面３１から入射後、水平方向及び垂直方向に拡散しながら進み、出射面３２から観視側に出射する。上記の光拡散材の量を増やせば、光はより広い角度範囲に拡散し、いわゆる視野角が増加する。しかしなから、図７（ａ）に示すように、入射光線１４は、出射面３２上の焦点に至る前に光拡散材により拡散されることになるので、視野角を広げるために光拡散材の量を増やせば増やすほど、出射面３２上の焦点における像がぼやけ、スポット径ｄが大きくなってフォーカス特性が低下し、解像度が悪くなるという問題点があった。
　【０００８】
　一方、前記従来の透過型スクリーン１においては、上記のように、第二のシート状部材３の入射面３１は、画面垂直方向を長手方向とするレンチキュラーレンズの列となっている。このレンチキュラーレンズの焦点面が、第二のシート状部材の出射面３２に形成されたレンチキュラーレンズ部となる。この出射面３２において、前記入射面３１のレンチキュラーレンズの焦点は、そのレンチキュラーレンズのピッチに等しいピッチで並び、焦点と焦点の間に光かほとんど通らない光不透過部３Ｎが存在する。このため、照明光などの外光の反射を低滅して画像のコントラストを向上することを目的として、上記光不透過部３Ｎに光吸収層６を設ける構成としている。この光吸収層６は、画面垂直方向の黒い直線を平行に並べたように見えることから、一般には「ブラックストライプ」と呼ばれている。
　【０００９】
　このとき、前記のように、第二のシート状部材３の入射面３１に形成されたレンチキュラーレンズに入射した光は、出射面３２上の焦点に至る前に光拡散材により拡散されるために、図７（ｂ）に示すように、一部の光は、レンチキュラーレンズの焦点に至ることなく上記の光吸収層６で吸収されてしまう。このため画像の明るい部分の光量が滅少し、コントラストが低下するという問題かあった。
　【００１０】
　本発明の目的は、上記の従来の問題点を解決し、フォーカス特性とコントラストが良好な透過型スクリーン、レンチキュラーシート及びそれを用いた背面投写型画像ディスプレイ装置、並びにシート状部材の製造方法を提供することにある。
　【００１１】
　【課題を解決するための手段】
　上記目的を達成するための、本発明に係る透過型スクリーンは、光出射面にフレネルレンズが形成されたフレネルシート（実施の形態の符号：２）と、該フレネルシートを透過した光が入射される光入射面（実施の形態の符号：３１）に画面垂直方向に延びる複数のレンチキュラーレンズ（実施の形態の符号：３１Ｌ）が画面水平方向に配列されたレンチキュラーシート（実施の形態の符号：３）とを有する透過型スクリーンにおいて、前記レンチキュラーシートの光出射面（実施の形態の符号：３２）は、前記レンチキュラーレンズに対応して画面垂直方向に延びて形成された光透過部（実施の形態の符号：３２Ｌ）と、前記レンチキュラーレンズ間の境界に対応する光不透過部（実施の形態の符号：３Ｎ）とが画面水平方向に交互に配列され、前記レンチキュラーシートの光出射面に配列された光透過部及び光不透過部上に、
互いに屈折率が異なる２種類の
　【００１２】
　また、前記光不透過部は、光出射方向に突出した凸部を有し、該凸部の先端部と前記光拡散層との間に前記光吸収層を設けてもよい。
　【００１３】
　本発明に係るシート状部材の製造方法は、前記出射面の光不透過部に紫外線硬化樹脂よりなる光吸収層を塗布した後、第一の紫外線照射により該光吸収層を半硬化させ、その後、紫外線硬化樹脂よりなる透明バインダー中に該透明バインダーの屈折率とは異なる屈折率を有
し、かつ互いに屈折率が異なる２種類の
　【００１４】
　そして上記の構成によれば、投写レンズにより拡大されて入射された映像光は、レンチキュラーシートから出射する際に、その出射面に積層された光拡散層内の光拡散材によって、初めて水平方向、垂直方向に拡散されることになる。すなわち、入射映像光は、上記光拡散層に至るまでは拡散されないので、出射面上の像はほとんどぼやけることかなく、良好なフォーカス特性が得られる。
　【００１５】
　また、上記の透過型スクリーンへの入射光線は、上記レンチキュラーシートの基材内でほとんど拡散されず、ほぼ全光量が出射面のレンチキュラーレンズ部から出射するため、光利用効率が上がり、結果として明るい画像が得られる。このとき、画像の明るい部分の光量が増しているので、画像のコントラストも向上する。
　【００１６】
　さらに、レンチキュラーシートの出射面の光不透過部に光吸収層を設けているので、この光吸収層により照明光などの外光の反射を低減できるので、良好なコントラストが得られる。このとき、透過型スクリーンへの入射光線は、上記レンチキュラーシートの出射面に至る前に拡散されて出射面の光不透過部を通り光吸収層で吸収される、ということがほとんどなく、上述のようにほぼ全光量が出射面のレンチキュラーレンズ部から出射する。
　【００１７】
　更にまた、光拡散層を着色しているので、映像源からの光よりも光拡散層の光出射面から入射される外光の光量を低減することができ、更にコントラストが向上する。
　【００１８】
　【発明の実施の形態】
　以下、本発明の一実施の形態について、図面を用いて説明する。
　【００１９】
　図１は本発明による透過型スクリーンの要部を示す斜視図
で
　【００２０】
　次に、図１の透過型スクリーン１の、第一のシート状部材２と第二のシート状部材３の機能について説明する。図２は、図１の透過型スクリーンを用いた背面投写型画像ディスプレイ装置の要部を示す断面図であり、１は透過型スクリーン、７は映像源たる投写型ブラウン管、８は投写レンズ、９は投写型ブラウン管７と投写レンズ８を結合する結合器、１０は投写光束、１１は投写光束１０を折り返すための反射鏡、１２は筐体である。
　【００２１】
　図３は、図２に示した背面投写型画像ディスプレイ装置の投写光学系の概略展開図であり、説明に不要な反射鏡１１を省略した点が図２と異なる。図３において、１は透過型スクリーン、７Ｒ，７Ｇ，７Ｂはそれぞれ赤，緑，青の投写型ブラウン管、８Ｒ，８Ｇ，８Ｂはそれぞれ投写型ブラウン管７Ｒ，７Ｃ，７Ｂ用の投写レンズ、１０Ｒ，１０Ｇ，１０Ｂはそれぞれ赤，緑，青の投写光束である。また１３Ｒ，１３Ｇ，１３Ｂは、それぞれ投写レンズ８Ｒ．８Ｇ，８Ｂの光軸であり、透過型スクリーン１の中心付近の一点Ｓ０において、光軸集中角θで交わっている。
　【００２２】
　図２及び図３において、投写光束１０，１０Ｒ，１０Ｃ，１０Ｂは広がりながら透過型スクリーン１に入射している。これに伴い、スクリーン１上の画像の各画素においては、特定の１色について見ると、各画素の主光線が、互いに放散する方向に広がりながらスクリーン１に入射する。これらの投写光束がスクリーン１により水平方向及び垂直方向に拡散されるとき、スクリーン１として例えばすりガラスを用いた場合には、各画素ごとに主光線の方向が最も明るい方向となるため、ある一定の観視位置から見ると、画像の一部分のみ明るく、その周囲は非常に暗く見えることになる。
　【００２３】
　これを防ぐため、図１に示した透過型スクリーン１では、第一のシート状部材２は、入射面２１全体に入射する画像光の光束が、赤，緑，青の色ごとにほぼ平行光束となるように、出射面２２のフレネルレンズにより変換し、第二のシート状部材３に入射させる機能を有し、画面の明るさの分布を改善している。ただし、このとき、各画素においては、赤，緑，青の各光線の、第二のシート状部材３への入射角は互いに異なることに注意を払う必要がある。
　【００２４】
　一方、第二のシート状部材３は、第一のシート状部材２から出射した画像光の光束を、各画素ごとに水平方向及び垂直方向に、それぞれ互いに異なる指向特性になるように拡散させ、観視側に出射させる機能を有している。このとき、第二のシート状部材３の入射面３１に形成されたレンチキュラーレンズ列は、画像光の水平方向の拡散に寄与し、出射面３２のレンチキュラーレンズ部上に積層された光拡散層５は、水平、垂直方向の両方向の拡散に寄与している。
　【００２５】
　ここで、図３に示すように、緑の光軸１３Ｇは、赤の光軸１３Ｒ、青の光軸１３Ｂと光軸集中角θで交わっている。これに伴い、スクリーン上の各画素においては、赤，緑，青の各主光線は互いに異なる角度で入射する。各色の投写光束が透過型スクリーン１により水平方向に拡散されるとき、各画素ごとに主光線の方向が最も明るい方向となるため、水平方向の画像観視位置によって、赤，緑，青の３原色のバランスが変化し、画像の色が変化して見える。この現象は、「カラーシフト」と呼ばれている。このカラーシフトを低減するため、図１に示した透過型スクリーン１では、第二のシート状部材３の出射面３２にレンチキュラーレンズ部の列を設けることにより、各画素ごとの各色の主光線の方向をほぼ平行になるようにしている。
　【００２６】
　次に、図１の透過型スクリーン１の、第二のシート状部材３の構成と機能について更に詳しく説明する。第二のシート状部材の光入射側に形成された入射面側レンチキュラーレンズ面は、楕円柱面の一部であり、その楕円は、シート状部材３の厚さ方向を長軸方向とし、楕円の二焦点のうち一焦点が基材３Ｂの内部に位置し、他の焦点が出射面３２のレンチキュラーレンズ部における光拡散層５の表面付近に位置するように構成されている。また、楕円の離心率ｅは基材３Ｂの屈折率ｎのほぼ逆数となるように選ばれている。
　【００２７】
　一方、出射面側レンチキュラーレンズ面は、光拡散層５の表面において、入射面側レンチキュラーレンズ面３１Ｌの楕円柱面とほぼ対称な楕円柱面としている。
　【００２８】
　また、光拡散層５は、透明バインダー中に光拡散材が分散された構成であり、一般的な塗装技術により形成するのが簡便で経済的である。このとき、光拡散層５の厚さの均一性を確保するためにはおおむね２μｍ以上の厚さか必要である。また、第二のシート状部材３の出射面３２に形成されたレンチキュラーレンズのピッチは、高解像度を得るために１．２ｍｍ程度以下とするのが好ましい。この場合、光吸収層６の部分を除いた１本のレンチキュラーレンズ面の幅は０．７ｍｍ程度となるが、光拡散層５の厚さが概ねレンチキュラーレンズ面の幅の２０％を超えると、塗膜の表面張力の影響により、光吸収層６に近い部分で光拡散層５の層厚が厚くなり、水平方向の指向特性に悪影響が出る。このため、光拡散層５の厚さは、概ね２〜１４０μｍ程度とするのが望ましい。一方、光不透過部３Ｎは、光吸収層６を光不透過部３Ｎ上に設けるために、出射面３２のレンチキュラーレンズ部に対して観視側に凸形の平面状となっており、入射面３１から入射した光線が光吸収層６で吸収されないように凸形形状部分の幅ｗと段差量ｈに制限がある。このとき、光拡散層５は、光不透過部３Ｎと、レンチキュラーレンズ部との境界となる凸形形状の端部においても連続して積層されることとなるので、光拡散層５の厚さを厚くするためには、光不透過部３Ｎにおける基材３Ｂの凸部２０を細く長くせざるを得ず、基材３Ｂの製造工程において成形性に問題を生じる。また、基材３Ｂ上に光拡散層５を厚く積層するときは、凸形形状端部３０にだれを生じ、光吸収層６を設ける面が平面にならず、光吸収層６の積層に支障を生じる。この点からも、光拡散層５の厚さを概ね１４０μｍ以下とするのが望ましい。
　【００２９】
　一方、光拡散材としては、酸化ケイ素，酸化アルミニウム，ガラス粉，炭酸カルシウム，二酸化チタン，硫酸バリウム，酸化亜鉛，雲母，方解石などの無機系材料，アクリル樹脂，ポリカーボネート樹脂，ポリビニルアルコール樹脂，フッ素樹脂，メラミン樹脂などの有機系材料等、天然物，合成物のいかんを問わず広汎な材料が使用できる。光拡散材の粒径は、０．４μｍ以下では可視光の波長より短くなるため、拡散効果がほとんどないという光学的要因、及び粒粉末の二次凝集（いわゆるブロッキング）による分散性低下等の工業的要因により使用が困難となる。また、概ね１０μｍを超えると、前記の光拡散層の厚さでは、光拡散材の分散密度に限度があり、良好な指向特性が得られなくなる。このため、光拡散材の粒径としては、概ね０．４〜１０μｍ程度とするのが好ましい。
　【００３０】
　光拡散層５中の透明バインダーの材料としては、シート状部材の基材３Ｂの硬度より大きい硬度を有する材料を使用すれば、透過型スクリーン１を取り扱う際に傷がつきにくくなり、商品価値の下落を防止する効果がある。バインダーの材料としては、ウレタン樹脂，アクリルウレタン樹脂，有機シリケート等のいわゆるハードコート材が広く使用できるが、後述する成膜作業性の要求から電磁波硬化、特に紫外線硬化できるアクリルウレタン樹脂系が好ましい。
　【００３１】
　一方、光拡散材と透明バインダーの配合比については、透明バインダー１００重量部に対して、光拡散材を２００重量部以下程度とした場合には、透明バインダー中における光拡散材の分散が不均一になりやすい問題がある。一方、透明バインダー１００重量部に対して、光拡散材を８００重量部以上程度とした場合には、透明バインダーの、光拡散材の保持固定性が顕著に低下する。このため、配合比としては、透明バインダー１００重量部に対して、光拡散材を概ね２００〜８００重量部とするのが望ましい。
　【００３２】
　また、出射面側レンチキュラーレンズ面を楕円柱面とした場合、赤，緑，青の入射光Ｒ，Ｇ，Ｂに対し、出射光の指向特性Ｒ′，Ｇ′，Ｂ′をほぼ平行にすることかでき、前記のカラーシフトを大幅に低減することができる効果がある。
　【００３３】
　本実施の形態においては、出射面側レンチキュラーレンズ面を入射面側レンチキュラーレンズ面の楕円柱面とほ
ぼ
　【００３４】
　次に、本実施の形態に係る透過型スクリーンの、フォーカス特性及びコントラスト特性について説明する。図４は、図１に示した第二のシート状部材３の断面図であり、図４（ａ）は出射面３２に形成された一つのレンチキュラーレンズ部の中心における垂直断面図、図４（ｂ）は水平断面図であって、それぞれ図１と同一部分には同一符号を付し、その説明を省略する。本実施の形態では、第二のシート状部材３の基材３Ｂ内に拡散材を混入せず、第二のシート状部材３の表面（光出射面３２側）に光拡散層を積層しているので、図４（ａ）及び図４（ｂ）に示されているように、入射光線１４は、入射面３１から入射後、ほとんど拡散されることなく基材３Ｂ内に直進し、光拡散層５に至って初めて拡散され、出射する。したがって、出射面３２を観視側から見ると、光拡散層５における光のスポット径ｄは、図７（ａ）に示した従来の透過型スクリーンの場合と比較して、非常に小さくなる。このため、画像のフォーカス特性かきわめて良好なものになり、解像度が向上する効果がある。
　【００３５】
　また、図４（ｂ）において、入射光線１４は、基材３Ｂ内でほとんど拡散されないため、図７（ｂ）に示した従来の場合と比較して、光吸収層６に吸収される損失光はほとんどなく、ほぼ全光量が出射する。このため画像の明るい部分の光量が、従来の技術による場合より増すため、画像のコントラストが向上する効果がある。
　【００３６】
　さらに、図４（ａ）に示すように、照明光などの外光光線１５が光拡散層５に入射し、第一，第二のシート状部材２，３の各面で反射して再び観視側に出射するとき、光拡散層５を少なくとも２回通過する。これに対し、映像源たる小型ブラウン管からの映像光は、透過型スクリーン１から出射する際、光拡散層５を１回だけ通過する。したがって、光拡散層５中の光拡散材もしくは透明バインダーを、たとえば薄い灰色、あるいは薄い青色等に着色すれば、外光光線１５は映像光より多く光拡散層５中で吸収されることになる。この結果、照明光などの外光があっても、画像中の暗い部分がむやみに明るくなることがなく、良好なコントラストが得られる効果かある。
　【００３７】
　背面投写型画像ディスプレイ装置において使用される投写型ブラウン管は、通常、赤色管，緑色管に比較して、青色管は輝度が飽和して明るくできないことが多い。この場合、画像の明るさは青色管の飽和輝度に対してホワイトバランスをとったときの明るさに制限される。従って、なるべく明るい画像を得るためには、透過型スクリーン１の分光透過特性として、青色光に対して透過率が高いことが望ましい。従って、上記の光拡散材もしくは透明バインダーの着色は、フタロシアニンブルーなどの染顔料により、青色光に対して透過率が高くなるように着色すれば、画像の明るさを損なわずに、外光に対して良好なコントラストが得られる効果がある。
　【００３８】
　図５に、第二のシート状部材３の光拡散層５を着色したときの分光透過率の例を示す。この例では、４００〜約５２０ｎｍの波長域において、他の波長域より分光透過率が大きくなっており、背面投写型画像ディスプレイ装置において上記の効果を得るのに好適な特性となっている。
　【００３９】
　また、本実施の形態においては、出射面３２の光不透過部３Ｎ上に光吸収層６を設けている。この光吸収層６は、照明光などの外光の反射を防ぎ、画像のコントラストを向上させる機能を有しているが、この光吸収層６として、前記の光拡散層５中の透明バインダーと同様に、シート状部材の基材３Ｂの硬度より大きい硬度を有する材料を使用すれば、取り扱い時の損傷が滅少する。
　【００４０】
　さて、透過型スクリーン１において、視野角の広い指向特性を得るためには、光拡散層５中の光拡散材の量を増せば良いが、あまり量が多くなると、視野角が飽和する場合がある。この場合は、図１のシート状部材３の基材３Ｂ中に、前記の光拡散層５中の光拡散材と同様の光拡散材で屈折率が基材３Ｂとは異なるものを少量分散させることにより、視野角を拡大した指向特性が得られる。このとき、光の拡散に対する寄与は、光拡散層５が主で、基材３Ｂは従であり、基材３Ｂ中に全く光拡散材を分散させない場合と比較すると、フォーカス特性及びコントラストがわずかに低下するが、従来の透過型スクリーンと比較すると、問題とはならない水準である。
　【００４１】
　次に、本実施の形態に係る第二のシート状部材３の製造工程について説明する。まず、紫外線硬化樹脂よりなる黒色の光吸収性塗料を、出射面３２のレンチキュラーレンズ部間の境界部に位置する光不透過部３Ｎ上に印刷塗布する。そして、その印刷塗布された光吸収性塗料を紫外線照射により半硬化させることにより、光吸収層６を形成する。その後、光拡散材を紫外線硬化樹脂よりなる透明バインダー中に分散したものを、出射面３２のレンチキュラーレンズ部上と光不透過部上の全面に塗布し、紫外線照射により前記光吸収層６と一括して硬化させて光拡散層５を形成する。このように製造することにより、簡便かつ経済的に本発明の透過型スクリーンが得られる効果がある。光吸収層６については、熱乾燥性、または常温乾燥性の印刷インク等を使用してもよい。この場合、光吸収層６の硬化は半硬化でなく完全硬化させてから光拡散層５を形成すればよい。以上の説明において、光拡散層および光吸収層のバインダー（またはベヒクル）として、紫外線硬化性樹脂を用いる場合について説明した。これは、瞬時硬化性，常温処理等の作業性、および高硬度膜の実現可能性の観点から紫外線硬化性樹脂が最適であるためである。しかし、可視光硬化，電子線硬化等の電磁波硬化性樹脂のうち上記要求を満足するものであれば使用できることは言うまでもない。
　【００４２】
　また、図示しないが、第一のシート状部材２の入射面２１に、画面水平方向（第二のシート状部材３の入射面３１に形成されたレンチキュラーレンズ列及び出射面３２にレンチキュラーレンズ部の列と直交する方向）に延びる複数のレンチキュラーレンズを、垂直方向に配列した形状としてもよい。これにより、垂直方向の視野角を拡大することが可能となる。
　【００４３】
　更にまた、図示しないが、画面水平方向に延びる複数のレンチキュラーレンズが両面もしくは片面に形成された第三のシート状部材を、第一のシート状部材２と第二のシート状部材との間に挿入してもよい。この場合でも、垂直方向の視野角を拡大することが可能となる。
　【００４４】
　更にまた、光拡散層５に用いられる光拡散材として、粒径及び屈折率が異なる２種類の光拡散材を使用してもよい。例えば、第一の拡散材として、０．４〜１０μｍの粒径を有するものを用い、第二の拡散材として、３０〜３００μｍの粒径を有するものを用いる。この場合、光拡散層の厚さは３０〜１０００μｍ程度になるよう構成されている。光拡散材の代表的な材料としては、第一の光拡散材として方解石粒子、第二の光拡散材として球状ガラス粉があげられる。方解石粒子は、常光に対して約１．６６、異常光に対して約１．４９の屈折率を有する六方晶系の復屈折性材料で、壁開性に富むため、光学的に均質性の高い微粒子を安定して製造できるので、単位体積当たりの界面面積が大きくなり、光拡散効率が高い。一方、球状ガラス粉は、約１．６の屈折率のものが標準であるが、ガラス中の鉛量を増すことによって、最高約２．４前後の屈折率のものが得られる。球状ガラス粉は、前記の方解石粒子とは逆に、単位体積当たりの界面面積が小さくなるので、光拡散効率は方解石より劣るか、界面における光の反射損が減り、明るい画面が得られる効果がある。球状ガラス粉の一般的市販品としては、たとえば東芝硝子株式会社製のガラスビーズＧＰシリーズがあり、１００メッシュ，１５０メッシュ，２５０メッシュなどのものが本実施の形態の光拡散材に好適である。上記第一の光拡散材と第二の光拡散材を光拡散層の両方を光拡散材として併用することにより、両者の特長を生かし、明るく、光拡散効率が高く、視野角の広い量産性にすぐれた透過型スクリーンが得られる効果がある。
　【００４５】
　本実施の形態の光拡散層は、透過型スクリーンのみならず反射型スクリーンの光拡散層にも適用でき、画像の明るさと視野角の広さを両立させた量産性のよい反射型スクリーンを得ることができる。
　【００４６】
　また、以上の説明は、赤，緑，青の単色の投写型ブラウン管３本を用いた光学系、及びその光学系を使用した画像ディスプレイ装置に関して行ったが、ブラウン管の員数をたとえば６本，９本等に増大した場合、あるいは、ブラウン管に代わって映像源として液晶素子を用いた場合、あるいは、映像源がスライド，映画フィルムのようなカラー画像（光学系の途中で合成する場合も含む）を１本の投写レンズで投写する光学系、及びその光学系を使用した画像ディスプレイ装置も実質的に本発明に含まれることは言うまでもない。
　【００４７】
　【発明の効果】
　以上の説明の通り、本発明によれば、良好なフォーカス特性及びコントラストが得られる。
【図面の簡単な説明】
　【図１】本発明に係る透過型スクリーンの第一の実施形態を示す図
　【図２】図１の透過型スクリーンを用いた背面投写型画像ディスプレイ装置の要部断面図
　【図３】背面投写型画像ディスプレイ装置の投写光学系の概略展開図
　【図４】図１に示した本発明に係る第二のシート状部材の断面図
　【図５】第二のシート状部材の光拡散層を着色したときの分光透過率を示す図
　【図６】従来の透過型スクリーンの要部斜視図
　【図７】図６に示した従来における第二のシート状部材の断面図
　【符号の説明】
　１…透過型スクリーン、２…第一のシート状部材、３…第二のシート状部材、２１，３１…入射面、２２，３２…出射面、２Ｂ，３Ｂ…基材、３Ｎ…光不透過部、５…光拡散層、６…光吸収層、７，７Ｒ，７Ｇ，７Ｂ…投写型ブラウン管、８，８Ｒ，８Ｇ，８Ｂ…投写レンズ。